(57)【要約】本発明は、冷藏冷凍機器を提供する。当該冷藏冷凍機器の内部収納スペースには、第１密閉空間１１と第２密閉空間１２が設けられている。冷藏冷凍機器は、窒素発生装置１３を更に備え、窒素発生装置１３は、吸着装置２１と空気圧縮機２０を備えている。空気圧縮機２０は、吸着装置２１へ圧縮空気を供給し、吸着装置２１は、圧縮空気を利用して、第１密閉空間１１へ供給される窒素ガスと第２密閉空間１２へ供給される酸素富化ガスとを作製する。当該機器は、第１密閉空間１１の保鮮能力を向上させ、第２密閉空間１２内の食品の生体活性を保つ。
2019518190.tif 000002
【特許請求の範囲】
【請求項１】
冷藏冷凍機器であって、
筐体と、窒素発生装置とを備え、
前記筐体には、収納コンパートメントが規定され、前記収納コンパートメント内には、第１密閉空間と第２密閉空間とが設けられ、
前記窒素発生装置は、吸着装置と、空気圧縮機とを備え、前記空気圧縮機は、制御可能に前記吸着装置へ圧縮空気を供給し、前記吸着装置は、制御可能に前記第１密閉空間または前記第２密閉空間に連通し、
前記窒素発生装置は、
前記吸着装置が窒素ガスを作製して前記第１密閉空間へ供給するように、前記吸着装置へ前記圧縮空気を供給し、前記吸着装置を前記第１密閉空間に連通させ、且つ、
前記吸着装置への前記圧縮空気の供給を停止した後、前記吸着装置が酸素富化ガスを脱着して前記第２密閉空間へ供給するように、前記吸着装置を前記第２密閉空間に連通させるように構成されていることを特徴とする冷藏冷凍機器。
【請求項２】
吸着装置は、第１筒体と、第２筒体とを更に備え、
前記第１筒体は、内部に互いに隔離された第１吸着室および窒素ガス室が規定され、前記窒素ガス室が前記第１密閉空間に連通し、
前記第２筒体は、内部に互いに隔離された第２吸着室および空気室が規定され、
前記空気圧縮機は、制御可能に前記空気室へ圧縮空気を供給するように、空気吸気管を介して前記空気室に連通し、
前記第１吸着室と前記第２吸着室との内部には、何れもカーボンモレキュラーシーブが設けられ、前記空気室は、前記第１吸着室と前記第２吸着室との一方が酸素富化ガスを吸着して窒素ガスを作製するとき、他方の吸着室が吸着済みの前記カーボンモレキュラーシーブに対して脱着を行なうように、制御可能に前記第１吸着室と前記第２吸着室とへ圧縮空気を交互に供給し、
窒素ガスを作製する吸着室は、前記窒素ガス室に連通し、脱着を行う吸着室は、前記第２密閉空間に連通することを特徴とする請求項１に記載の冷藏冷凍機器。
【請求項３】
前記窒素発生装置は、ガス通路切換弁を更に備え、
前記ガス通路切換弁は、第１ガス輸送ポートと第２ガス輸送ポートと第３ガス輸送ポートと第４ガス輸送ポートと第５ガス輸送ポートとの５つのガス輸送ポートを有し、前記第１ガス輸送ポートが前記第１吸着室に連通し、前記第２ガス輸送ポートが前記第２吸着室に連通し、前記第３ガス輸送ポートが前記空気室に連通し、
前記ガス通路切換弁は、更に、前記第３ガス輸送ポートを前記第１ガス輸送ポートおよび前記第２ガス輸送ポートに交互に連通させるように構成され、前記第３ガス輸送ポートが前記第１ガス輸送ポートに連通したときには、前記第４ガス輸送ポートが前記第２ガス輸送ポートに連通し、前記空気室が前記第１吸着室へ圧縮空気を供給し、前記第４ガス輸送ポートが前記第２吸着室で脱着された酸素富化ガスを排出し、前記第３ガス輸送ポートが前記第２ガス輸送ポートに連通したときには、前記第５ガス輸送ポートが前記第１ガス輸送ポートに連通し、前記空気室が前記第２吸着室へ圧縮空気を供給し、前記第５ガス輸送ポートが前記第１吸着室で脱着された酸素富化ガスを排出することを特徴とする請求項２に記載の冷藏冷凍機器。
【請求項４】
前記窒素発生装置は、前記第４ガス輸送ポートと前記第５ガス輸送ポートとを連通させて前記２つのガス輸送ポートを１つの酸素富化ガス排気口に合併するように構成された三方管を更に備えていることを特徴とする請求項３に記載の冷藏冷凍機器。
【請求項５】
前記窒素発生装置は、三方電磁弁を更に備え、
前記三方電磁弁は、第１通気口と第２通気口と第３通気口との３つの通気口を有し、前記第１通気口が酸素富化ガス出力管を介して前記酸素富化ガス排気口に連通し、前記第２通気口が前記第２密閉空間に連通し、前記第３通気口が前記冷藏冷凍機器の外気に連通し、
前記第１通気口は、前記第２通気口または前記第３通気口に選択可能に連通し、前記第１通気口が前記第２通気口に連通した場合に、酸素富化ガスが前記第２密閉空間内に輸送され、前記第１通気口が前記第３通気口に連通した場合に、酸素富化ガスが前記外気へ排出されることを特徴とする請求項４に記載の冷藏冷凍機器。
【請求項６】
前記窒素発生装置は、接続管と、圧力等化弁とを更に備え、
前記接続管は、前記第１吸着室と前記第２吸着室とを連通させ、
前記圧力等化弁は、前記接続管に直列接続され、且つ、前記第１吸着室と前記第２吸着室との内部気圧が均衡するように、前記第１吸着室と前記第２吸着室との一方が吸着を停止して脱着しようとするときに前記接続管をオンにするように構成されていることを特徴とする請求項２に記載の冷藏冷凍機器。
【請求項７】
前記窒素発生装置は、第１排気管と、第２排気管と、２つの一方向弁とを更に備え、
前記第１排気管は、前記第１吸着室と前記窒素ガス室とを連通させ、
前記第２排気管は、前記第２吸着室と前記窒素ガス室とを連通させ、
前記２つの一方向弁は、それぞれ前記第１排気管、前記第２排気管に設けられ、気体が前記第１吸着室または前記第２吸着室から前記窒素ガス室へ単方向に流通することを許容することで前記窒素ガス室内の気体の回流を防止するように構成されていることを特徴とする請求項２に記載の冷藏冷凍機器。
【請求項８】
前記窒素発生装置は、油水分離器を更に備え、
前記油水分離器は、前記空気吸気管に設けられ、前記空気室に進入した空気を濾過するように構成されていることを特徴とする請求項２に記載の冷藏冷凍機器。
【請求項９】
前記第１筒体と前記第２筒体とは、並列して前記冷藏冷凍機器内に配置され、且つ前記第１吸着室と前記第２吸着室との一端は、同一の方向へ向かって設けられていることを特徴とする請求項２に記載の冷藏冷凍機器。
【発明の詳細な説明】
【技術分野】
【０００１】
本発明は、物品貯蔵分野に関し、特に冷蔵冷凍機器に関する。
【背景技術】
【０００２】
人々の生活水準の継続的な改善につれて、水産品は、徐々に人々の食卓上に現れてきている。沿海地方から遠く離れた内陸地方でも、生鮮水産物があちこちで見られる。従来の家庭用冷蔵庫は一般的に水産物の冷凍保鮮機能のみを実現可能である。つまり、低温条件、特に温度が零下１０℃以下まで降下したとき、水産物体内の水分が氷になって、細菌の生長・繁殖のできない環境を形成し、ひいては水産物の冷藏保鮮を実現する。
【０００３】
しかし、冷凍保鮮が単に水産物の酸化過程を延長し、水産物の生存を保証できないため、必然的にその鮮度の低下を引き起こしてしまう。また、水産物に対する冷藏と冷凍を行った後、水産物の栄養価値が低下し、且つ冷凍後の水産物を長い時間解凍しないと調理できないが、解凍過程において水産物の栄養価値が再び流失してしまう。そのため、従来の冷蔵庫は、時間やコストを増やすだけでなく、水産物の栄養価値の大量流失および鮮度の低下を引き起こし、更に食品の品質に影響を与える。
【発明の概要】
【発明が解決しようとする課題】
【０００４】
上記問題に鑑みて、上記問題を克服するまたは上記問題を少なくとも部分的に解決する冷蔵冷凍機器を提供するために、本発明の提出に至る。
【０００５】
本発明の別の目的は、冷藏冷凍機器が食品の生体活性を維持可能であることである。
【０００６】
本発明の更に別の目的は、冷藏冷凍機器の窒素発生装置を小型化することである。
【課題を解決するための手段】
【０００７】
本発明の１つの態様によれば、本発明は、冷藏冷凍機器を提供する。当該冷藏冷凍機器は、筐体と、窒素発生装置とを備え、筐体には、収納コンパートメントが規定され、収納コンパートメント内には、第１密閉空間と第２密閉空間とが設けられ、窒素発生装置は、吸着装置と、空気圧縮機とを備え、空気圧縮機は、制御可能に吸着装置へ圧縮空気を供給し、吸着装置は、制御可能に第１密閉空間または第２密閉空間に連通し、窒素発生装置は、吸着装置が窒素ガスを作製して第１密閉空間へ供給するように、吸着装置へ圧縮空気を供給し、吸着装置を第１密閉空間に連通させ、且つ、吸着装置への圧縮空気の供給を停止した後、吸着装置が酸素富化ガスを脱着して第２密閉空間へ供給するように、吸着装置を第２密閉空間に連通させるように構成されている。
【０００８】
好ましくは、吸着装置は、第１筒体と、第２筒体とを更に備え、第１筒体は、内部に互いに隔離された第１吸着室および窒素ガス室が規定され、窒素ガス室が第１密閉空間に連通し、第２筒体は、内部に互いに隔離された第２吸着室および空気室が規定され、空気圧縮機は、制御可能に空気室へ圧縮空気を供給するように、空気吸気管を介して空気室に連通し、第１吸着室と第２吸着室との内部には、何れもカーボンモレキュラーシーブが設けられ、空気室は、第１吸着室と第２吸着室との一方が酸素富化ガスを吸着して窒素ガスを作製するとき、他方の吸着室が吸着済みのカーボンモレキュラーシーブに対して脱着を行なうように、制御可能に第１吸着室と第２吸着室とへ圧縮空気を交互に供給し、窒素ガスを作製する吸着室は、窒素ガス室に連通し、脱着を行う吸着室は、第２密閉空間に連通する。
【０００９】
好ましくは、窒素発生装置は、ガス通路切換弁を更に備え、ガス通路切換弁は、第１ガス輸送ポートと第２ガス輸送ポートと第３ガス輸送ポートと第４ガス輸送ポートと第５ガス輸送ポートとの５つのガス輸送ポートを有し、第１ガス輸送ポートが第１吸着室に連通し、第２ガス輸送ポートが第２吸着室に連通し、第３ガス輸送ポートが空気室に連通し、ガス通路切換弁は、更に、第３ガス輸送ポートを第１ガス輸送ポートおよび第２ガス輸送ポートに交互に連通させるように構成され、第３ガス輸送ポートが第１ガス輸送ポートに連通したときには、第４ガス輸送ポートが第２ガス輸送ポートに連通し、空気室が第１吸着室へ圧縮空気を供給し、第４ガス輸送ポートが第２吸着室で脱着された酸素富化ガスを排出し、第３ガス輸送ポートが第２ガス輸送ポートに連通したときには、第５ガス輸送ポートが第１ガス輸送ポートに連通し、空気室が第２吸着室へ圧縮空気を供給し、第５ガス輸送ポートが第１吸着室で脱着された酸素富化ガスを排出する。
【００１０】
好ましくは、窒素発生装置は、第４ガス輸送ポートと第５ガス輸送ポートとを連通させて２つのガス輸送ポートを１つの酸素富化ガス排気口に合併するように構成された三方管を更に備えている。
【００１１】
窒素発生装置は、三方電磁弁を更に備え、三方電磁弁は、第１通気口と第２通気口と第３通気口との３つの通気口を有し、第１通気口が酸素富化ガス出力管を介して酸素富化ガス排気口に連通し、第２通気口が第２密閉空間に連通し、第３通気口が冷藏冷凍機器の外気に連通し、第１通気口は、第２通気口または第３通気口に選択可能に連通し、第１通気口が第２通気口に連通した場合に、酸素富化ガスが第２密閉空間内に輸送され、第１通気口が第３通気口に連通した場合に、酸素富化ガスが外気へ排出される。
【００１２】
好ましくは、窒素発生装置は、接続管と、圧力等化弁とを更に備え、接続管は、第１吸着室と第２吸着室とを連通させ、圧力等化弁は、接続管に直列接続され、且つ、第１吸着室と第２吸着室との内部気圧が均衡するように、第１吸着室と第２吸着室との一方が吸着を停止して脱着しようとするときに接続管をオンにするように構成されている。
【００１３】
好ましくは、窒素発生装置は、第１排気管と、第２排気管と、２つの一方向弁とを更に備え、第１排気管は、第１吸着室と窒素ガス室とを連通させ、第２排気管は、第２吸着室と窒素ガス室とを連通させ、２つの一方向弁は、それぞれ第１排気管、第２排気管に設けられ、且つ、気体が第１吸着室または第２吸着室から窒素ガス室へ単方向に流通することを許容することで窒素ガス室内の気体の回流を防止するように構成されている。
【００１４】
好ましくは、窒素発生装置は、油水分離器を更に備え、油水分離器は、空気吸気管に設けられ、空気室に進入した空気を濾過するように構成されている。
【００１５】
好ましくは、第１筒体と第２筒体とは、並列して冷藏冷凍機器内に配置され、且つ第１吸着室と第２吸着室との一端は、同一の方向へ向かって設けられている。
【００１６】
本発明は、冷藏冷凍機器を提供し、当該冷藏冷凍機器の内部収納スペースに第１密閉空間及び第２密閉空間が設けられている。冷藏冷凍機器は、窒素発生装置を更に備えている。窒素発生装置は、吸着装置を備え、且つ、吸着装置が窒素ガスを作製して第１密閉空間へ供給するように、吸着装置へ圧縮空気を供給し、吸着装置を第１密閉空間に連通させるように構成され、吸着装置への圧縮空気の供給を停止した後、吸着装置が酸素富化ガスを脱着して第２密閉空間へ供給するように、吸着装置を第２密閉空間に連通させる。本発明の冷藏冷凍機器では、第２密閉空間へ酸素富化ガスを供給することで、第２密閉空間の酸素ガス含有量を増加させる。これにより、冷藏冷凍機器は、第２密閉空間内における食品の生体活性を保証可能である。
【００１７】
また、第１密閉空間に窒素ガスが注入されるため、第１密閉空間の保鮮能力が向上する。窒素発生装置で生成された窒素ガスと残りの酸素富化ガスとがそれぞれ冷藏冷凍機器の鮮度保持と生存維持とに用いられるため、窒素発生装置の機能が十分に利用されるとともに、空気素材が節約される。
【００１８】
さらに、本発明の冷藏冷凍機器では、窒素発生装置は、第１吸着室と窒素ガス室とを第１筒体として統合し、第２吸着室と空気室とを第２筒体として統合するため、窒素発生装置の構造を簡素化する。全窒素発生装置の本体が２つのみの筒体を有するため、窒素発生装置の小型化が実現され、貯蔵装置内に置くことも便利になる。
【００１９】
図面に合わせて後述する本発明の具体的な実施例の詳細な記述によれば、本発明の上記および他の目的、メリットと特徴は、当業者により良好に理解される。
【図面の簡単な説明】
【００２０】
後文は、図面を参照しながら制限的ではなく例示的に本発明の幾つかの具体的な実施例を詳細に記述する。図面における同じ符号は、同じまたは類似する部品や部分を示す。当業者であれば分かるように、これらの図面が必ずしも比例に準じて描かれるものとは限らない。図面において、
【００２１】
【図１】本発明の１つの実施例に係る冷蔵庫の模式図である。
【図１】本発明の１つの実施例に係る冷藏冷凍機器の模式図である。
【図２】本発明の１つの実施例に係る冷藏冷凍機器の窒素発生装置の模式図である。
【図３】本発明の１つの実施例に係る冷藏冷凍機器のガス通路切換弁の一方向からの模式図である。
【図４】本発明の１つの実施例に係る冷藏冷凍機器のガス通路切換弁の別の方向からの模式図である。
【図５】本発明の１つの実施例に係る冷藏冷凍機器のガス通路切換弁の制御原理の模式図である。
【発明を実施するための形態】
【００２２】
本実施例は、まず、冷藏冷凍機器を提供する。図１は、本発明の１つの実施例に係る冷藏冷凍機器の模式図である。当該冷藏冷凍機器は、冷蔵庫、冷凍キャビネット等の冷藏装置であってもよく、筐体１０及び窒素発生装置１３を備えている。筐体１０には、収納コンパートメントが規定され、収納コンパートメント内には、第１密閉空間１１と第２密閉空間１２とが設けられている。窒素ガスは、第１密閉空間１１内に注入され、その内部の食品の保鮮のために用いられる。第１密閉空間１１は、野菜、果物等の食品を貯蔵可能である。酸素富化ガスは、第２密閉空間１２内に注入され、その内部の食品の生体活性を保つために用いられる。第２密閉空間１２は、魚類等の水産物を貯蔵可能である。
【００２３】
本実施例の窒素発生装置１３は、ＰＳＡ窒素発生方法を利用して、空気における酸素ガスを除去して純粋な窒素ガスを生成する。ＰＳＡ圧力変動吸着（Ｐｒｅｓｓｕｒｅ Ｓｗｉｎｇ Ａｄｓｏｒｐｔｉｏｎ）は、気体を生成する現在の主流技術の１つである。圧力変動吸着とは、具体的に、温度が変化しない場合に、混合気体を加圧し、余分な不純物気体を吸着剤で吸着することで純粋な単一気体を取得してから、吸着剤に対する再度利用ができるように、減圧（真空化）或いは常圧の方法で吸着剤内の不純物気体を脱着することを指す。カーボンモレキュラーシーブは、現在酸素窒素分離を実現して空気から窒素ガスを抽出する常用吸着剤である。吸着圧力が同じであるとき、カーボンモレキュラーシーブは、酸素に対する吸着量が窒素に対する吸着量よりも遥かに高くなる。窒素発生方法では、この原理を利用し、空気を素材として、圧力変動吸着技術を用いて、酸素と窒素とに対するカーボンモレキュラーシーブの選択的な吸着により、空気における窒素と酸素との分離を実施して純粋な窒素ガスを生成する。本実施例の窒素発生装置１３は、窒素発生後の余剰の空気（即ち、酸素富化ガス）を第２密閉空間１２に注入することで、その内部の食品の生体活性を保ちつつ、食品の清潔度も確保する。
【００２４】
本実施例の窒素発生装置１３は、吸着装置２１および空気圧縮機２０を備えている。空気圧縮機２０は、制御可能に吸着装置２１へ圧縮空気を供給し、吸着装置２１は、制御可能に第１密閉空間１１または第２密閉空間１２に連通する。また、窒素発生装置１３は、吸着装置２１が窒素ガスを作製して第１密閉空間１１へ供給するように、吸着装置２１へ圧縮空気を供給し、吸着装置２１を第１密閉空間１１に連通させるように構成されている。吸着装置２１への圧縮空気の供給を停止した後、吸着装置２１は、酸素富化ガスを脱着して第２密閉空間１２へ供給するように、第２密閉空間１２に連通させるように構成されている。
【００２５】
窒素発生装置１３の空気圧縮機２０は、間欠的に吸着装置２１へ圧縮空気を供給する。空気圧縮機２０が吸着装置２１へ圧縮空気を供給する期間内に、吸着装置２１は、空気における酸素富化ガスを吸着し、残りの窒素ガスを第１密閉空間１１に注入する。空気圧縮機２０が吸着装置２１への圧縮空気の供給を一時停止する期間内に、吸着装置２１は、酸素富化ガスを脱着し、当該酸素富化ガスを第２密閉空間１２に注入する。
【００２６】
図２は、本発明の１つの実施例に係る冷藏冷凍機器の窒素発生装置１３の模式図である。本実施例における吸着装置２１は、第１筒体２１１及び第２筒体２１２を更に備えている。第１筒体２１１内には、互いに隔離された第１吸着室２１３および窒素ガス室２１４が規定され、窒素ガス室２１４が第１密閉空間１１に連通している。第２筒体２１２内には、互いに隔離された第２吸着室２１５および空気室２１６が規定されている。また、空気圧縮機２０は、制御可能に空気室２１６へ圧縮空気を供給するように、空気吸気管を介して空気室２１６に連通する。第１吸着室２１３と第２吸着室２１５との内部には、何れもカーボンモレキュラーシーブが設けられ、空気室２１６は、制御可能に第１吸着室２１３と第２吸着室２１５とへ交互に圧縮空気を供給する。こうして、第１吸着室２１３と第２吸着室２１５との一方が酸素富化ガスを吸着して窒素ガスを作製するとき、他方の吸着室は、吸着済みのカーボンモレキュラーシーブに対して脱着を行なう。ただし、窒素ガスを作製する吸着室は、窒素ガス室２１４に連通し、脱着を行う吸着室は、第２密閉空間１２に連通する。例えば、空気圧縮機２０が第１吸着室２１３へ圧縮空気を供給し、第１吸着室２１３内の気圧が上昇し、その内部のカーボンモレキュラーシーブが空気における酸素富化ガスを吸着し、残りの窒素ガスを窒素ガス室２１４に入力し、窒素ガス室２１４が窒素ガスを第１密閉空間１１に入力する。同時に、第２吸着室２１５内の気圧が降下し、その内部のカーボンモレキュラーシーブは、吸着された酸素富化ガスを脱着して第２密閉空間１２へ供給する。本実施例の窒素発生装置１３は、第１吸着室２１３と窒素ガス室２１４とを第１筒体２１１として統合し、第２吸着室２１５と空気室２１６とを第２筒体２１２として統合する。従来の窒素発生装置１３よりも、構造が簡素化され、窒素発生装置１３の小型化が実現される。
【００２７】
本実施例の窒素発生装置１３は、ガス通路切換弁２２を更に備えている。図３は、本発明の１つの実施例に係る冷藏冷凍機器のガス通路切換弁２２の１つの方向からの模式図である。図４は、本発明の１つの実施例に係る冷藏冷凍機器のガス通路切換弁２２の別の方向からの模式図である。ガス通路切換弁２２は、５つのガス輸送ポートを有し、そのうち、第１ガス輸送ポート２２１が第１吸着室２１３に連通し、第２ガス輸送ポート２２２が第２吸着室２１５に連通し、第３ガス輸送ポート２２３が空気室２１６に連通している。ガス通路切換弁２２は、更に、第３ガス輸送ポート２２３を第１ガス輸送ポート２２１と第２ガス輸送ポート２２２とに交互に連通させるように構成されている。第３ガス輸送ポート２２３が第１ガス輸送ポート２２１に連通したときには、第４ガス輸送ポート２２４が第２ガス輸送ポート２２２に連通し、空気室２１６が第１吸着室２１３へ圧縮空気を供給し、第４ガス輸送ポート２２４が第２吸着室２１５で脱着された酸素富化ガスを排出する。第３ガス輸送ポート２２３が第２ガス輸送ポート２２２に連通したときには、第５ガス輸送ポート２２５が第１ガス輸送ポート２２１に連通し、空気室２１６が第２吸着室２１５へ圧縮空気を供給し、第５ガス輸送ポート２２５が第１吸着室２１３で脱着された酸素富化ガスを排出する。
【００２８】
本実施例におけるガス通路切換弁２２は、三位置５方向電磁弁であり、図５は、本発明の１つの実施例に係る冷藏冷凍機器のガス通路切換弁の制御原理の模式図である。ガス通路切換弁は、第１コイル２２６及び第２コイル２２７を備えている。第１コイル２２６に電源が投入されたとき、第３ガス輸送ポート２２３が第１ガス輸送ポート２２１に連通し、第４ガス輸送ポート２２４が第２ガス輸送ポート２２２に連通し、空気が空気室２１６を介して第１吸着室２１３に進入し、第１吸着室２１３の内部気圧が上昇し、カーボンモレキュラーシーブが酸素富化ガスを吸着する。同時に、空気室２１６は、第２吸着室２１５への空気の供給を停止し、第２吸着室２１５内の気圧が降下し、脱着を開始させ、第２吸着室２１５で脱着された酸素富化ガスは、第２ガス輸送ポートを介してガス通路切換弁２２内に進入して最終的に第４ガス輸送ポート２２４から排出される。第２コイル２２７に電源が投入されたとき、連通方式も対応して変更され、第１吸着室２１３が脱着し、第２吸着室２１５が吸着するが、ここでは繰り返し説明しない。第１コイルと第２コイルとの何れにも電源が切られたとき、第１ガス輸送ポート２２１、第２ガス輸送ポート２２２が何れも閉鎖し、空気室２１６が第１吸着室２１３と第２吸着室２１５とへ空気を供給しない。
【００２９】
本実施例の窒素発生装置１３は、三方管２３を更に備えている。三方管２３は、第４ガス輸送ポート２２４と第５ガス輸送ポート２２５とを連通させ、２つのガス輸送ポートを１つの酸素富化ガス排気口２３１として合併するように構成されている。本実施例の窒素発生装置１３で生成された酸素富化ガスは、第４ガス輸送ポート２２４と第５ガス輸送ポート２２５とから交互に排出され、三方管２３は、２つのガス輸送ポートから排出された酸素ガスをまとめ、その後、酸素富化ガス排気口２３１から排出する。
【００３０】
本実施例の窒素発生装置１３は、三方電磁弁２４を更に備えている。三方電磁弁２４は、３つの通気口を有し、そのうち、第１通気口２４１が酸素富化ガス出力管を介して酸素富化ガス排気口２３１に連通し、第２通気口２４２が第２密閉空間１２に連通し、第３通気口２４３が冷藏冷凍機器の外気に連通している。第１通気口２４１は、第２通気口２４２または第３通気口２４３に選択可能に連通する。第１通気口２４１が第２通気口２４２に連通した場合に、酸素富化ガスが第２密閉空間１２内に輸送され、第１通気口２４１が第３通気口２４３に連通した場合に、酸素富化ガスが外気へ排出される。
【００３１】
本実施例の冷藏冷凍機器は、窒素発生装置１３で生成された酸素富化ガスを第２密閉空間１２または冷藏冷凍機器の外気へ選択可能に注入してもよい。第２通気口２４２が第２密閉空間１２の内部に連通する。三方電磁弁２４の第１通気口２４１が第２通気口２４２に連通したとき、酸素富化ガスは、第２通気口２４２から排出されて第２密閉空間１２内に入力される。三方電磁弁２４の第３通気口２４３は、冷藏冷凍機器の外部に連通する。第１通気口２４１が第３通気口２４３に連通したとき、酸素富化ガスは、第３通気口２４３から外気へ排出される。酸素富化ガスが外気へ排出されると、ユーザ室内の酸素ガス濃度を向上させることが可能であり、ユーザの快適感も向上する。
【００３２】
窒素発生装置１３は、接続管２５及び圧力等化弁２６を更に備えている。接続管２５は、第１吸着室２１３と第２吸着室２１５とを連通させる。圧力等化弁２６は、接続管２５に直列接続され、且つ、第１吸着室２１３と第２吸着室２１５との内部気圧が均衡するように、第１吸着室２１３と第２吸着室２１５との一方が吸着を停止して脱着しようとするときに接続管２５をオンにするように構成されている。例えば、第１吸着室２１３が吸着過程を終了して脱着過程に進入しようとするとき、これに対応して、第２吸着室２１５が脱着過程を終了して吸着過程に進入しようとする。その際、圧力等化弁２６がオンにされ、第１吸着室２１３が第２吸着室２１５に連通する。第１吸着室２１３が高気圧状態であり、第２吸着室２１５が低気圧状態であるため、第１吸着室２１３内の気体が第２吸着室２１５内に迅速に流れ込み、２つの吸着室の内部気圧を同じにする。第１吸着室２１３内の気圧が迅速に降下し、後続の脱着に有利になり、第２吸着室２１５内の気圧が迅速に上昇し、後続の酸素ガス吸着に有利になる。
【００３３】
上記窒素発生装置１３は、第１排気管２７１、第２排気管２７２および２つの一方向弁２８を更に備えている。第１排気管２７１は、第１吸着室２１３と窒素ガス室２１４とを連通させる。第２排気管２７２は、第２吸着室２１５と窒素ガス室２１４とを連通させる。第１吸着室２１３と第２吸着室２１５は、上記２本の管を介して、生成された窒素ガスを窒素ガス室２１４に入力する。２つの一方向弁２８は、それぞれ第１排気管２７１、第２排気管２７２に設けられ、気体が第１吸着室２１３または第２吸着室２１５から窒素ガス室２１４へ単方向に流通することを許容することで、窒素ガス室２１４内の気体の回流を防止する。
【００３４】
上記窒素発生装置１３は、油水分離器を更に備えている。油水分離器は、空気吸気管に設けられ、空気室２１６に進入した空気を濾過する。幾つかの代替可能な実施例では、空気圧縮機２０の吸気端に吸気フィルタを追加して、空気における不純物を除去し、カーボンモレキュラーシーブが活性を失うことを回避する。
【００３５】
他の幾つかの実施例では、第１筒体２１１と第２筒体２１２とが並列して冷藏冷凍機器の筐体１０内に配置され、第１吸着室２１３と第２吸着室２１５との一端が同一の方向へ向かって設けられ、空気室２１６と窒素ガス室２１４との一端が別の方向へ向かって設けられる。こうして、パイプの配線に有利になる。
【００３６】
本実施例は、冷藏冷凍機器を提供し、当該冷藏冷凍機器の内部収納スペースに第１密閉空間１１及び第２密閉空間１２が設けられている。冷藏冷凍機器は、窒素発生装置１３を更に備えている。窒素発生装置１３は、吸着装置２１を備え、且つ、吸着装置２１が窒素ガスを作製して第１密閉空間１１へ供給するように、吸着装置２１へ圧縮空気を供給し、吸着装置２１を第１密閉空間１１に連通させるように構成され、吸着装置２１への圧縮空気の供給を停止した後、吸着装置２１が酸素富化ガスを脱着して第２密閉空間１２へ供給するように、吸着装置２１を第２密閉空間１２に連通させる。本発明の冷藏冷凍機器では、第２密閉空間１２へ酸素富化ガスを供給することで、第２密閉空間１２の酸素ガス含有量を増加させる。これにより、冷藏冷凍機器は、第２密閉空間１２内における食品の生体活性を保証可能である。
【００３７】
また、第１密閉空間１１に窒素ガスが注入されるため、第１密閉空間１１の保鮮能力が向上する。窒素発生装置１３で生成された窒素ガスと残りの酸素富化ガスとがそれぞれ冷藏冷凍機器の鮮度保持と生存維持とに用いられるため、窒素発生装置１３の機能が十分に利用されるとともに、空気素材が節約される。
【００３８】
さらに、本実施例の冷藏冷凍機器では、窒素発生装置１３は、第１吸着室２１３と窒素ガス室２１４とを第１筒体２１１として統合し、第２吸着室２１５と空気室２１６とを第２筒体２１２として統合するため、窒素発生装置１３の構造を簡素化する。全窒素発生装置１３の本体が２つのみの筒体を有するため、窒素発生装置１３の小型化が実現され、貯蔵装置内に置くことも便利になる。
【００３９】
これまでに、当業者であれば分かるように、本発明の複数の例示的な実施例が本文に詳細に示されて記述されてきたが、本発明の要旨及び範囲を逸脱しない限り、本発明に公開された内容から本発明の原理に合致する大量の他の変形や改良を直接特定またはいは推論することが可能である。したがって、本発明の範囲がこれらの他の変形や改良を全てカバーするとは、理解及び認定されるべきである。
【図１】
2019518190.tif 000003
【図２】
2019518190.tif 000004
【図３】
2019518190.tif 000005
【図４】
2019518190.tif 000006
【図５】
2019518190.tif 000007
【国際調査報告】
2019518190.tif 000008
2019518190.tif 000009
2019518190.tif 000010
2019518190.tif 000011